(57)【要約】      （修正有）【課題】既存のペーパーホルダーに取り付け可能で、片手による紙の切断を可能としうる補助具を提供する。【解決手段】この補助具２０は、ロール紙が引き出されるペーパーホルダーと共に使用される。この補助具２０は、カット部２２とこのカット部２２の後端から後方に延びる取付部２４とを備えている。上記カット部２２は、本体２６と、この本体２６の前面から前方に延びる一対の保持手２８と、この本体２６の前面上の下側に位置し左右に延在する切断刃３０とを備えている。平面視において、上記切断刃３０は、上記一対の保持手２８の間に位置している。上記一対の保持手２８の間隔は、上記保持手２８の始端３８と先端３６との間の中間領域３４において最も狭くなっている。【選択図】図２
0003187311.tif 000002
【実用新案登録請求の範囲】
【請求項１】
ロール紙が引き出されるペーパーホルダーと共に使用される補助具であって、
カット部とこのカット部の後端から後方に延びる取付部とを備えており、
上記カット部が、本体と、この本体の前面から前方に延びる一対の保持手と、この本体の前面上の下側に位置し左右に延在する切断刃とを備えており、
平面視において、上記切断刃が、上記一対の保持手の間に位置しており、
上記一対の保持手の間隔が、上記保持手の始端と先端との間の中間領域において最も狭くなっている補助具。
【請求項２】
上記一対の保持手の間隔が、上記中間領域から保持手の先端に向けて徐々に広くなっている請求項１に記載の補助具。
【請求項３】
上記一対の保持手の間隔が、上面側から下面側に向けて徐々に狭くなっている請求項１又は２に記載の補助具。
【請求項４】
上記ロール紙が引き出されるペーパーホルダーが壁に取り付けられ、上記補助具がペーパーホルダーの下側において上記壁に取り付けられ、この壁とロール紙の壁の反対側の端までの距離がＬ１とされ、この壁と上記切断刃の先端までの距離がＬ２とされたとき、距離Ｌ２が距離Ｌ１以上である請求項１から３のいずれかに記載の補助具。
【請求項５】
上記ロール紙が引き出されるペーパーホルダーが壁に取り付けられ、上記補助具がペーパーホルダーの下側において上記壁に取り付けられ、上記切断刃の先端からこのロール紙が形成する円に対して引いた接線と鉛直線とのなす角がθ１とされ、上記の本体の前面の上面側の端から上記ロール紙が形成する円に対して引いた接線と鉛直線とのなす角がθ２とされたとき、角θ２が角θ１より大きい請求項４に記載の補助具。
【請求項６】
上記本体又は取付部が凹部を備えている請求項１から５のいずれかに記載の補助具。
【考案の詳細な説明】
【技術分野】
【０００１】
本考案は、ペーパーホルダー用補助具に関する。
【背景技術】
【０００２】
トイレットペーパーとしては、通常、紙が巻回されて形成されたロール紙が用いられる。ロール紙は、ペーパーホルダーに取り付けて、使用される。
【０００３】
図９には、ロール紙２がペーパーホルダー４に取り付けられている状況が示されている。ペーパーホルダー４は、アーム６及び蓋８を備えている。アーム６は、棒状である。アーム６は、ロール紙２の貫通孔１０に挿入される。アーム６は、ロール紙２を支持しうる。蓋８は、アーム６で支持されたロール紙２に載せられる。
【０００４】
図９において、符号Ｐで示されているのは、ロール紙２から引き出された紙１２の先端部分である。ロール紙２は、通常、その上側から前方に紙１２が引き出されるようにペーパーホルダー４に取り付けられる。ユーザーは、一方の手でこの先端部分Ｐを掴み、紙１２を引き出す。ユーザーは、蓋８の縁１４を利用してこの紙１２を切断する。
【０００５】
図９において、二点鎖線は切断途中にある紙１２を表している。図示されているように、切断に際し、紙１２は上方に引き上げられる。このとき、蓋８が持ち上がるので、ユーザーは他方の手でこの蓋８を押さえる。このペーパーホルダー４では、紙１２の切断に際し、両手を使うことが前提とされている。片手が不自由な人は、紙１２を引き出しつつ蓋８を押さえることができないので、紙１２を切断できない場合がある。片手が不自由な人は、介護者に頼らなければ用を足せないのが現状である。さらには、衛生上の理由から、ペーパーホルダーの蓋を触ることを好まない人も多い。片手でしかもペーパーホルダーに触れることなく使用できるペーパーホルダーへの要求は強い。
【０００６】
片手で使用することが考慮されたペーパーホルダー４について、様々な検討がなされている。この検討の一例が、実用新案登録第３１５８３４７号公報に開示されている。
【先行技術文献】
【特許文献】
【０００７】
【特許文献１】実用新案登録第３１５８３４７号公報
【考案の概要】
【考案が解決しようとする課題】
【０００８】
本考案はこのような情勢に鑑みてなされたものであり、既存のペーパーホルダーと共に使用することで、片手によりペーパーホルダーに触れることなく紙の切断を可能としうる補助具の提供を目的としている。
【課題を解決するための手段】
【０００９】
本考案に係る補助具は、ロール紙が引き出されるペーパーホルダーと共に使用される。この補助具は、カット部とこのカット部の後端から後方に延びる取付部とを備えている。上記カット部は、本体と、この本体の前面から前方に延びる一対の保持手と、この本体の前面上の下側に位置し左右に延在する切断刃とを備えている。平面視において、上記切断刃は、上記一対の保持手の間に位置している。上記一対の保持手の間隔は、上記保持手の始端と先端との間の中間領域において最も狭くなっている。
【００１０】
好ましくは、上記一対の保持手の間隔は、上記中間領域から保持手の先端に向けて徐々に広くなっている。
【００１１】
好ましくは、上記一対の保持手の間隔は、上面側から下面側に向けて徐々に狭くなっている。
【００１２】
好ましくは、上記ロール紙が引き出されるペーパーホルダーが壁に取り付けられ、上記補助具がペーパーホルダーの下側において上記壁に取り付けられ、この壁とロール紙の壁の反対側の端までの距離がＬ１とされ、この壁と上記切断刃の先端までの距離がＬ２とされたとき、距離Ｌ２は距離Ｌ１以上である。
【００１３】
好ましくは、上記ロール紙が引き出されるペーパーホルダーが壁に取り付けられ、上記補助具がペーパーホルダーの下側において上記壁に取り付けられ、上記切断刃の先端からこのロール紙が形成する円に対して引いた接線と鉛直線とのなす角がθ１とされ、上記の本体の前面の上面側の端から上記ロール紙が形成する円に対して引いた接線と鉛直線とのなす角がθ２とされたとき、角θ２は角θ１より大きい。
【００１４】
好ましくは、上記本体又は取付部は凹部を備えている。
【考案の効果】
【００１５】
本考案に係る補助具は、既存のペーパーホルダーと共に使用することができる。この補助具によれば、ペーパーホルダーに触れることなく、片手でロール紙から紙を引き出し、これを容易に切断することができる。
【図面の簡単な説明】
【００１６】
【図１】図１は、本考案の一実施形態に係る補助具が示された斜視図である。
【図２】図２は、図１の補助具の平面図である。
【図３】図３は、図１の補助具の下面図である。
【図４】図４は、図３のIV−IV線に沿った断面図である。
【図５】図５は、図３のＶ−Ｖ線に沿った断面図である。
【図６】図６は、図１の補助具の使用状況が示された側面図である。
【図７】図７は、図１の補助具の使用状況が示された斜視図である。
【図８】図８は、図６の補助具の一部が示された拡大断面図である。
【図９】図９は、従来の、ロール紙の使用状況が示された断面図である。
【考案を実施するための形態】
【００１７】
以下、適宜図面が参照されつつ、好ましい実施形態に基づいて本考案が詳細に説明される。
【００１８】
図１は、本発明に係る補助具２０の斜視図であり、図２はその平面図であり、図３はその下面図である。図２及び図３において、矢印Ｘが前方であり、その逆が後方である。矢印Ｙが右方向であり、その逆が左方向である。補助具２０は、カット部２２と取付部２４とを備えている。
【００１９】
カット部２２は、本体２６と一対の保持手２８と切断刃３０とを備えている。図２に示されるとおり、平面視において本体２６は円弧状を呈している。図１に示される通り、本体２６の前面３２は平らである。平面視において、本体２６の形状は円弧状でなくてもよい。本体２６の形状が矩形でもよい。本体２６の形状がその他の形状でもよい。本体２６の形状は補助具２０のデザインにより決められる。図１の補助具２０は、チューリップをモチーフとしたデザインとなっている。本体２６が平面視において円弧状を呈しているのは、このためである。
【００２０】
一対の保持手２８は、本体２６の前面３２から前方に延びている。図２に示されるとおり、一対の保持手２８の間隔は、保持手２８の始端３８と先端３６との間の中間領域３４において最も狭くなっている。ここで、一対の保持手２８の間隔とは、右側に位置する保持手２８の左側面と、左側に位置する保持手２８の右側面との間の左右方向の距離である。一対の保持手２８の間隔は、この中間領域３４から保持手２８の先端３６に向けて徐々に広くなっている。本明細書では、この中間領域３４から保持手２８の先端３６までの領域は、保持手２８の導入領域４０と称される。中間領域３４から始端３８までの領域において、保持手２８の間隔は、中間領域３４での間隔よりも広くなっている。本明細書では、この中間領域３４から保持手２８の始端３８までの領域は、保持手２８の保持領域４２と称される。
【００２１】
図４は、図３の補助具２０のIV−IV線に沿った断面図である。図４において、矢印Ｚが上方向であり、その逆が下方向である。図４において、両矢印Ｗ１は、保持手２８の上面側の端における保持手２８の間隔を表す。両矢印Ｗ２は、下面側の端における保持手２８の間隔を表す。図４に示されるとおり、間隔Ｗ２は間隔Ｗ１より小さい。保持手２８の間隔は上面側から下面側に向けて徐々に狭くなっている。図４は、保持手２８の中間領域３４での断面が示されているが、他の領域の断面においても、下面側の端における保持手２８の間隔は、上面側の端における保持手２８の間隔よりも小さい。保持手２８の間隔は上面側から下面側に向けて徐々に狭くなっている。
【００２２】
本体２６及び保持手２８の典型的な材質は、木である。本体２６及び保持手２８の材質が、硬質合成樹脂又は金属であってもよい。図１の補助具２０では、本体２６と保持手２８は一体として形成されている。本体２６と保持手２８が一体として形成されていなくてもよい。本体２６と保持手２８の材質が異なっていてもよい。
【００２３】
切断刃３０は、本体２６の前面３２上に位置し、左右方向に延在している。図２に示されるとおり、平面視において、切断刃３０は一対の保持手２８の間に位置している。図５は、図３のＶ−Ｖ線に沿った断面図である。図５において、矢印Ｚが上方向であり、その逆が下方向である。図に示されるとおり、切断刃３０は本体２６の前面３２において、下側に位置している。切断刃３０は本体２６の前面３２の下面側の端に位置している。
【００２４】
図２に示されるように、取付部２４は、カット部２２の後端４４から後向に延びている。取付部２４は、柄４６とプレート４８とを備えている。柄４６の前端はカット部２２の本体２６の後端４４と接続されている。図２の補助具２０では、柄４６はチューリップの葉をモチーフとした形状を呈している。柄４６が円柱状を呈していてもよい。柄４６が他の形状を呈していてもよい。柄４６の形状は補助具２０のデザインにより決められる。
【００２５】
プレート４８は、柄４６の後方に位置している。プレート４８の前面５０は柄４６の後端と接続されている。図４に示されるように、プレート４８には、その前面５０から背面まで貫通する孔５２が設けられている。この孔５２にはボルト５４が通されている。図示されないが、このボルト５４にはネジが螺刻されている。このプレート４８の孔５２にボルト５４を貫通させ、ボルト５４の先を壁等の取付対象に螺入することで、このプレート４８と取付対象とが堅固に固定される。これにより、補助具２０が取付対象に取り付けられる。
【００２６】
柄４６及びプレート４８の典型的な材質は、木である。柄４６及びプレート４８の材質が、硬質合成樹脂又は金属であってもよい。図１の補助具２０では、柄４６とプレート４８の材質は同じである。本体２６と保持手２８の材質が異なっていてもよい。
【００２７】
図５及び図６に示されるように、柄４６はその下面に凹み５６を備えている。例えば、芳香剤等がこの凹み５６に入れられうる。凹み５６は柄４６の上面に設けられていてもよい。柄４６が凹み５６を有していなくてもよい。カット部２２の本体２６が凹み５６を有していても良い。本補助具２０を使用すれば、芳香剤等を置くスペースが省略できる。
【００２８】
図６は、補助具２０の使用状況が示された側面図である。図６において、矢印ｘが取付後の上方向（取付上方向と称される）を表し、この逆方向が取付後の下方向（取付下方向と称される）を表す。矢印ｙが取付後の前方向（取付前方と称される）を表し、この逆方向が取付後の後方（取付後方と称される）を表す。図７は、補助具２０の使用状況が示された斜視図である。
【００２９】
図に示されるように、ペーパーホルダー６０は、壁６２に取り付けられている。このペーパーホルダー６０には、ロール紙６４としてのトイレットペーパーが取り付けられている。ロール紙６４は、紙が巻回されて形成されている。これにより、ロール紙６４は、側面視において円を形成している。この円の中心付近には、ロール紙６４を幅方向に貫通する貫通孔６６が存在する。アーム６８は、この貫通孔６６に挿入されている。アーム６８は、ロール紙６４を支持しうる。アーム６８の直径が貫通孔６６の内径よりも小さいので、このロール紙６４は回動可能にこのペーパーホルダー６０に取り付けられている。蓋７０は、ロール紙６４に載せられている。図示されているように、この補助具２０の使用に際して、ロール紙６４は、その取付前方の端付近から紙７２が取付下方向に引き出されるように取り付けられている。
【００３０】
図に示されるように、補助具２０はペーパーホルダー６０の取付下側において、ペーパーホルダー６０が取り付けられている壁６２と同じ壁６２に取り付けられる。補助具２０のプレート４８が壁６２に当接している。この取り付けは、前述の通り、プレート４８の孔５２にボルト５４を貫通させて、ボルト５４の先を壁６２に螺入することにより行われる。補助具２０は、その上面がペーパーホルダー６０側を向くように、取り付けられる。換言すれば、図６において、補助具２０の上面は、取付上側を向いている。補助具２０の下面は、取付下側を向いている。
【００３１】
図７に示されるように、ロール紙６４から引き出された紙７２の先端７６は、補助具２０の一対の保持手２８の間に通されている。この紙７２の先端７６は、保持手２８の保持領域４２の間に通されている。使用者は、図７の状態から紙７２の使用を始める。
【００３２】
まず、使用者は、ロール紙６４から引き出された紙７２のうち、ペーパーホルダー６０と補助具２０との間に架け渡されている部分を掴む。この部分を引っ張ることで、紙７２の先端７６は、保持手２８からはずれる。この部分を引っ張ることで、ロール紙６４がアーム６８を軸にして回転し、さらに紙７２が引き出される。必要な長さだけ紙７２を引き出した後、使用者は引き出した紙７２を保持手２８の導入領域４０の間にまで移動させる。さらに使用者は、この紙７２を保持手２８の中間領域３４の間を通過させて、保持手２８の保持領域４２の間まで移動させる。図６には、使用者が紙７２を保持領域４２の間まで移動させた状態が示されている。紙７２は、本体２６の前面３２に備えられた切断刃３０と当接する。使用者は、さらに紙７２を把持した手７４を、図６の矢印Ａで示される方向に動かす。これにより、紙７２は切断刃３０の位置にて切断される。使用者は、必要な長さの紙７２をとり出すことができる。前述の通り、保持手２８は中間領域３４でその間隔が狭くなっているため、切断された後、残った紙７２の先端７６は、保持手２８からはずれない。紙７２の先端７６は、保持領域４２の間にそのまま保持される。換言すれば、ロール紙６４は、図７で示される状態に戻る。これにより、次の使用者は、上述の方法と同じ方法で紙７２を使用することができる。
【００３３】
本補助具２０を使用すれば、使用者は、ロール紙６４から引き出された紙７２のうち、ペーパーホルダー６０と補助具２０の間に架け渡された部分を掴むことができる。使用者が掴むのに充分な長さの紙７２が露出されている。ペーパーホルダー６０のみを使うときのように、紙７２の先端７６がペーパーホルダー６０の蓋７０に隠れてしまうおそれはない。使用者は、片手で、容易に紙７２を掴むことができる。使用者は、片手で、容易に紙７２を引き出すことができる。使用者は、ペーパーホルダー６０に触れることなく、紙７２を引き出すことができる。
【００３４】
前述のとおり、保持手２８の間隔は、導入領域４０では、先端３６に向けて徐々に広くなっている。この先端３６における保持手２８間の間隔は広い。使用者が引き出した紙７２を導入領域４０の間に移動させるのは容易である。使用者は紙７２を把持した手７４を保持領域４２側に移動させるだけで、この紙７２は中間領域３４の間を通過しうる。導入領域４０は、中間領域３４に向かって間隔が徐々に狭くなっているため、このとき、紙７２が障害物に引っかかることはない。使用者は、片手で容易に紙７２を保持領域４２の間まで移動させることができる。
【００３５】
使用者は、引き出した紙７２を保持領域４２に紙７２を移動させた後は、手７４を図６の矢印Ａの方向に動かすだけで、紙７２を切断することができる。使用者は、この紙７２の切断を片手で行うことができる。この補助具２０を使用すれば、これまでのペーパーホルダーのように、紙７２の切断時にカバーを抑える必要はない。使用者は、片手で容易に必要な長さの紙７２を取り出すことができる。片手が不自由な人でも、介護者に頼ることなく用を足すことができる。また、使用者は、ペーパーホルダー６０に触れることなく、紙７２を取り出すことができる。
【００３６】
前述した通り、保持領域４２においては、保持手２８の間隔は中間領域３４における間隔よりも広くなっている。このため、保持手２８の間で左右方向に延在する切断刃３０の長さも長くすることができる。長い切断刃３０は、紙７２の切断を容易にする。この補助具２０では、容易に紙７２を切断することができる。
【００３７】
前述したとおり、保持手２８の間隔は上面側から下面側に向けて徐々に狭くなっている。換言すれば、保持手２８の間隔は、取付上側の端で最も広く、取付下側の端でもっとも狭くなっている。図７に示されるように、この形状は、紙７２の形状に適合している。保持手２８の間隔が取付上側の端で広くなることで、紙７２が皺になることが抑制されうる。保持手２８の間隔が取付下側の端で狭くなることで、紙７２を切断後に紙７２が保持手２８から外れることが防止されうる。
【００３８】
前述したとおり、切断刃３０は本体２６の前面３２の下面側の端に位置している。図６でいえば、切断刃３０は本体２６の前面３２の、取付下側の端に位置している。このため切断刃３０で紙７２が切断された後、残りの紙７２の先端７６は、保持手２８の取付下端に位置する。これにより、紙７２の切断後に残った紙７２が保持手２８から外れることが防止されている。
【００３９】
図６において、両矢印Ｌ１は、ペーパーホルダー６０が壁６２に取り付けられたときのこの壁６２とロール紙６４の取付前方の端までの距離を示す。両矢印Ｌ２は、ペーパーホルダー６０が壁６２に取り付けられたときのこの壁６２と切断刃３０の先端（図８における端Ｐ１）までの距離を示す。距離Ｌ２は距離Ｌ１以上が好ましい。距離Ｌ２が距離Ｌ１以上となるように設置された補助具２０では、紙７２を切断する際に、紙７２が切断刃３０に対して滑り難いため、使用者は容易に片手で紙７２を切断することができる。この観点から、距離Ｌ２は、（距離Ｌ１＋０．５ｃｍ）以上がより好ましい。距離Ｌ２は、（距離Ｌ１＋１０ｃｍ）以下が好ましい。距離Ｌ２が（距離Ｌ１＋１０ｃｍ）以下となるように設置された補助具２０は、使用時に邪魔にならない。この観点から距離Ｌ２は、（距離Ｌ１＋５ｃｍ）以下がより好ましい。
【００４０】
図８は、図６で示される使用状態における補助具２０のカット部２２の一部が示された拡大断面図である。図８において、矢印ｘが取付上方向を表し、この逆方向が取付下方向を表す。矢印ｙが取付前方を表し、この逆方向が取付後方を表す。この図において、符号Ｐ１は、切断刃３０の先端（取付前方の端）を表す。この図において二点鎖線ＴＬは、端Ｐ１からロール紙６４が形成する円に対して引いた接線を表す。端Ｐ１かロール紙６４が形成する円までの接線は２本ひくことができるが、接線ＴＬは、そのうちの取付前方側の接線である。換言すれば、図示されていないが、接線ＴＬは、ロール紙６４が形成する円の取付前方の端近辺で、この円と接している。符号θ１は、接線ＴＬが鉛直線ＶＬとなす角度である。符号Ｐ２は、本体２６の前面３２の上面側の端（取付上方向の端）を表す。符号θ２は、端Ｐ２からロール紙６４が形成する円に対して引いた接線（図８では、この接線は、ペーパーホルダー６０と補助具２０の間に架け渡された紙７２と重なっている）が鉛直線ＶＬとなす角である。
【００４１】
角θ２は、角θ１より大きいのが好ましい。角θ２が角θ１より大きくなるように設置された補助具２０では、紙７２の切断時に、紙７２は端Ｐ２及び端Ｐ１と接触する。この紙７２は二箇所で補助具２０と接触する。そのため、紙７２と補助具２０との間の摩擦が大きくなる。この紙７２の補助具２０に対する滑りがより効果的に防止される。紙７２が切断刃３０に対して滑り難いため、使用者は片手で容易に紙７２を切断することができる。
【００４２】
図８において、両矢印Ｗ３は本体２６の厚さである。両矢印Ｈは、切断刃３０の高さである。厚さＷ３の高さＨに対する比（Ｗ３／Ｈ）が大きいほど、角θ２が角θ１より大きくなるように補助具２０を設置するのが容易となる。この観点から、高さＨに対する厚さＷ３の比（Ｗ３／Ｈ）は３以上が好ましく、５以上がより好ましい。
【００４３】
以上説明されたように、本考案によれば、使用者は、片手で容易に必要な長さの紙７２を取り出すことができる。片手が不自由な人でも、介護者に頼ることなく用を足すことができる。また、使用者は、ペーパーホルダー６０に触れることなく、紙７２を取り出すことができる。以上より、本考案の有効性は明らかである。
【産業上の利用可能性】
【００４４】
以上説明された補助具２０は、様々なペーパーホルダー６０にも適用されうる。
【符号の説明】
【００４５】
２、６４・・・ロール紙
４、６０・・・ペーパーホルダー
６、６８・・・アーム
８、７０・・・蓋
１０、６６・・・貫通孔
１２、７２・・・紙
２０・・・補助具
２２・・・カット部
２４・・・取付部
２６・・・本体
２８・・・保持手
３０・・・切断刃
３２、５０・・・前面
３４・・・中間領域
３６、７６・・・先端
３８・・・始端
４０・・・導入領域
４２・・・保持領域
４４・・・後端
４６・・・柄
４８・・・プレート
５２・・・孔
５４・・・ボルト
５６・・・凹み
６２・・・壁
７４・・・手
【図１】
0003187311.tif 000003
【図２】
0003187311.tif 000004
【図３】
0003187311.tif 000005
【図４】
0003187311.tif 000006
【図５】
0003187311.tif 000007
【図６】
0003187311.tif 000008
【図７】
0003187311.tif 000009
【図８】
0003187311.tif 000010
【図９】
0003187311.tif 000011